(57)【要約】【課題】  携帯通信端末のディスプレイに表示された画面を、他の端末においても表示可能な画像ファイルを生成する。【解決手段】  携帯通信端末の一態様である携帯電話の制御部が実行する画面の切出処理は、ＲＡＭからディスプレイにおける画面の表示のための表示データを読み出すステップ（Ｓ９０２）と、表示データをエンコード処理してＪＰＥＧ形式のファイルを作成するステップ（Ｓ９０４）と、生成したファイルをファイル記憶部に格納するステップ（Ｓ９０６）とを含む。【選択図】        図９
2005267451.tif 000002
【特許請求の範囲】
【請求項１】
外部からの入力を受け付けるための入力手段と、
ドキュメント情報を記憶するための記憶手段と、
前記ドキュメント情報の表示指示の入力に基づいて、前記ドキュメント情報の内容を表示するための表示データを生成する表示データ生成手段と、
前記表示データに基づいて、前記ドキュメント情報の内容を表わす画面を表示するための表示手段と、
前記画面を画像として保存する指示の入力に応答して、予め定められたファイル形式であって前記ドキュメント情報のファイル形式と異なる形式により、前記ドキュメント情報から、前記画像を表示するための画像ファイルを生成する画像ファイル生成手段とを含む、携帯通信端末。
【請求項２】
前記予め定められたファイル形式は、ラスター形式である、請求項１に記載の携帯通信端末。
【請求項３】
前記予め定められたファイル形式は、ベクター形式である、請求項１に記載の携帯通信端末。
【請求項４】
前記記憶手段は、予め定められた文書作成画面を表示するための作成画面データを記憶し、
前記携帯通信端末は、
入力されるデータに基づいて、電子メールを作成するためのメール編集手段と、
前記画像ファイルの生成に応じて、前記メール編集手段に前記作成画面の表示を指令するための指令手段とをさらに含み、
前記表示手段は、前記表示の指令に応じて、前記作成画面データに基づいて前記文書作成画面を表示する、請求項１に記載の携帯通信端末。
【請求項５】
前記携帯通信端末は、前記作成画面の表示の指令に基づいて、前記画像ファイルを前記電子メールに添付するためのファイル添付手段をさらに含む、請求項４に記載の携帯通信端末。
【請求項６】
前記入力手段は、前記表示手段の表示領域に表示された画面の範囲を指定するための入力を受け付け、
前記画像ファイル生成手段は、指定された前記画面の範囲に対応するデータを変換して、前記画像ファイルを生成する、請求項１に記載の携帯通信端末。
【請求項７】
前記携帯通信端末は、
着脱可能なデータ記録媒体を装着するための記録媒体装着手段と、
前記データ記録媒体に前記画像ファイルを格納するための記録手段とをさらに含む、請求項１に記載の携帯通信端末。
【請求項８】
前記携帯通信端末は、通信回線を介して、通信装置にデータを送信するための送信手段をさらに含み、
前記記憶手段はさらに、前記通信装置の表示手段が有する表示領域の広さを表わす情報を、前記通信装置に対応付けて記憶し、
前記画像ファイル生成手段は、前記通信装置の表示領域の情報に基づいて、前記ドキュメント情報から前記画像ファイルを生成する、請求項１に記載の携帯通信端末。
【請求項９】
前記画像ファイル生成手段は、前記通信装置の表示領域が前記携帯通信端末の表示領域よりも小さい場合には、前記通信装置の表示領域に応じたデータ量を有する画像ファイルを生成する、請求項８に記載の携帯通信端末。
【請求項１０】
前記携帯通信端末は、携帯電話であり、
前記画像ファイル生成手段は、前記携帯電話の画像ファイルに関して予め定められたファイル形式により、前記ドキュメント情報から前記画像ファイルを生成する、請求項１に記載の携帯通信端末。
【請求項１１】
携帯通信端末における画像ファイルの生成方法であって、
外部からの入力を受け付けるステップと、
前記携帯通信端末の記憶手段からドキュメント情報を読み出して、予め準備するステップと、
前記ドキュメント情報の表示指示の入力に基づいて、前記ドキュメント情報の内容を表示するための表示データを生成するステップと、
前記表示データに基づいて、前記ドキュメント情報の内容を表わす画面を表示するステップと、
前記画面を画像として保存する指示の入力に応答して、予め定められたファイル形式であって前記ドキュメント情報のファイル形式と異なる形式により、前記ドキュメント情報から、前記画像を表示するための画像ファイルを生成するステップとを含む、携帯通信端末における画像ファイルの生成方法。
【請求項１２】
画像の表示機能を有する携帯通信端末に、画像ファイルを生成する方法を実現させるためのプログラムであって、前記プログラムは前記携帯通信端末に、
外部からの入力を受け付けるステップと、
前記携帯通信端末の記憶手段からドキュメント情報を読み出して、予め準備するステップと、
前記ドキュメント情報の表示指示の入力に基づいて、前記ドキュメント情報の内容を表示するための表示データを生成するステップと、
前記表示データに基づいて、前記ドキュメント情報の内容を表わす画面を表示するステップと、
前記画面を画像として保存する指示の入力に応答して、予め定められたファイル形式であって前記ドキュメント情報のファイル形式と異なる形式により、前記ドキュメント情報から、前記画像を表示するための画像ファイルを生成するステップとを実行させる、プログラム。
【発明の詳細な説明】
【技術分野】
【０００１】
本発明は、携帯通信端末におけるデータ処理に関し、特に、携帯通信端末の表示領域に表示されている画面の画像ファイルを生成する携帯通信端末、携帯通信端末における画像ファイルの生成方法およびその方法を実現するためのプログラムに関する。
【背景技術】
【０００２】
携帯電話、ファクシミリその他の情報通信端末は、作成したドキュメント情報を通信回線を介して他の端末に送信する。この場合、作成したデータを画像として保存するためには、たとえば、ドキュメントを印刷して、印刷したものをスキャナによって取り込む必要があり、利用者にとって、操作が煩雑になる場合がある。
【０００３】
このような問題点を解決するために、たとえば特開平４−６０８７６号公報（特許文献１）は、操作性と利用性とが向上するファイリング製造装置を開示する。この装置は、ワードプロセッサ部と画像ファイリング部と、ワードプロセッサ部によって作成されたコードデータの文書をイメージデータに展開するイメージ展開部とを備える。画像ファイリング部は、イメージデータの文書を画像ファイルとして登録する。
【０００４】
特許文献１に開示されたファイリング製造装置によると、ワードプロセッサにより作成された文書の管理とファイリングされたデータの管理とが一体化されるため、その文書をそのままの状態で記録装置に格納することができる。また、文書をファイリングのデータとして登録する処理が自動化されるため、操作を簡略化することができる。
【０００５】
また、特開平４−１７０８４３号公報（特許文献２）は、操作を簡略化するために、ワードプロセッサ文書の作成処理と一連の処理により送信相手のファクシミリにワードプロセッサ文書を送信することができる送信装置を開示する。この送信装置は、送信対象のワードプロセッサ文書を特定する特定部と、ワードプロセッサの出力デバイスとしてファクシミリを指定する指定部と、ワードプロセッサ文書を送信する相手先のファクシミリの番号を指定する番号指定部と、ワードプロセッサ文書をイメージデータに変換して相手先のファクシミリに送信する送信部とを含む。
【０００６】
特許文献２に開示された送信装置によると、ファクシミリの番号が指定されると、特定されたワードプロセッサ文書は、イメージデータに変換され、そのデータがファクシミリに送信される。これにより、ワードプロセッサ文書を印刷することなく、直接送信することができる。その結果、ワードプロセッサ機能およびファクシミリ機能の実行のための操作あるいはファクシミリへの送信用紙のセット等の作業負荷を軽減することができる。
【特許文献１】特開平４−６０８７６号公報
【特許文献２】特開平４−１７０８４３号公報
【発明の開示】
【発明が解決しようとする課題】
【０００７】
ところで、最近は、データの通信手段として、従来のファクシミリに加えて、携帯電話、ＰＤＡ（Personal Digital Assistant）その他の携帯通信端末が使用されている。通信手段としてファクシミリが使用される場合、たとえば特許文献２に開示された送信装置によると、データは、ファクシミリから送信されて、受信側のファクシミリによって印刷されるため、受信者は、そのデータの内容を確認することができる。
【０００８】
しかしながら、従来の携帯通信端末は、メモリに予め格納されているアプリケーションプログラムの実行により、データを画像として表示する。そのため、送信されたデータの形式が受信側の携帯通信端末で対応可能でない場合には、受信側の携帯通信端末は、そのデータに基づいて画像を表示することができないという問題があった。
【０００９】
本発明は、上述の問題点を解決するためになされたものであって、その目的は、データの受信側の携帯通信端末においてドキュメントの表示を可能にすることができる携帯通信端末を提供することである。
【００１０】
本発明の他の目的は、受信側の携帯通信端末においてドキュメントの内容が表示可能な画像ファイルの生成方法を提供することである。
【００１１】
本発明のさらに他の目的は、データの受信側の携帯通信端末においてドキュメントの内容が表示可能な画像ファイルの生成方法を携帯通信端末に実現させるためのプログラムを提供することである。
【課題を解決するための手段】
【００１２】
上記の課題を解決するために、この発明のある局面に従うと、携帯通信端末は、外部からの入力を受け付けるための入力手段と、ドキュメント情報を記憶するための記憶手段と、ドキュメント情報の表示指示の入力に基づいて、ドキュメント情報の内容を表示するための表示データを生成する表示データ生成手段と、表示データに基づいて、ドキュメント情報の内容を表わす画面を表示するための表示手段と、画面を画像として保存する指示の入力に応答して、予め定められたファイル形式であってドキュメント情報のファイル形式と異なる形式により、ドキュメント情報から、画像を表示するための画像ファイルを生成する画像ファイル生成手段とを含む。
【００１３】
上記の構成を有する携帯通信端末によると、たとえば利用者が入力手段を介して、画面の保存指示を入力すると、表示手段に表示されている画面の画像ファイルが生成される。この画像ファイルは、予め定められたファイル形式（たとえばラスタ形式あるいはベクタ形式）により作成される。したがって、異なる形式のドキュメント情報が記憶されていても、生成された画像ファイルは、共通のファイル形式を有する。なお、ここで「ドキュメント」とは、特定のアプリケーションに依存する形式のデータであり、携帯通信端末がそのアプリケーションを備えない場合には、表示できないようなデータをいう。このデータには、たとえばＰＣ（Personal Computer）その他のアプリケーションを備えた情報処理装置でのみ表示可能な文書データ、表データ、プレゼンテーション用データ等が含まれる。したがって、ドキュメント情報を直接表示することができない他の端末（たとえば、携帯電話、情報通信端末）も、その画像ファイルに基づいてドキュメント情報の内容を表示することができる。これにより、データの受信側の携帯通信端末においてドキュメントの表示を可能にすることができる携帯通信端末を提供することができる。
【００１４】
好ましくは、予め定められたファイル形式は、ラスタ形式である。
【００１５】
上記の構成を有する携帯通信端末によると、ドキュメント情報がラスタ形式以外のデータ形式であっても、ドキュメント情報の表示画面の画像ファイルはラスタ形式により生成される。したがって、その画像ファイルが入力される他の通信端末においても、ドキュメント情報を表示することができる。
【００１６】
好ましくは、予め定められたファイル形式は、ベクタ形式である。
【００１７】
上記の構成を有する携帯通信端末によると、ドキュメント情報がベクタ形式以外のデータ形式であっても、ドキュメント情報の表示画面の画像ファイルはベクタ形式により生成される。したがって、その画像ファイルが入力される他の通信端末においても、ドキュメント情報を表示することができる。
【００１８】
好ましくは、記憶手段は、予め定められた文書作成画面を表示するための作成画面データを記憶する。携帯通信端末は、入力されるデータに基づいて、電子メールを作成するためのメール編集手段と、画像ファイルの生成に応じて、メール編集手段に作成画面の表示を指令するための指令手段とをさらに含む。表示手段は、表示の指令に応じて、作成画面データに基づいて文書作成画面を表示する。
【００１９】
上記の構成を有する携帯通信端末によると、ドキュメント情報が表示されている画面を画像として保存する指示が入力されると、電子メールの作成画面が表示される。利用者は、画面の保存と電子メールの作成画面の表示とを別個にする必要がなくなるため、効率よく送信メールを作成することができる。
【００２０】
好ましくは、携帯通信端末は、作成画面の表示の指令に基づいて、画像ファイルを電子メールに添付するためのファイル添付手段をさらに含む。
【００２１】
上記の構成を有する携帯通信端末によると、利用者が画面の保存指示を入力すると、その画面の画像ファイルが電子メールに添付されるため、ファイルの添付操作を敢えて実行することなく送信メールを編集することができる。
【００２２】
好ましくは、入力手段は、表示手段の表示領域に表示された画面の範囲を指定するための入力を受け付ける。画像ファイル生成手段は、指定された画面の範囲に対応するデータを変換して、画像ファイルを生成する。
【００２３】
上記の構成を有する携帯通信端末によると、利用者は任意の画面を画像ファイルとして取り込むことができるため、希望する画面を通信相手に送信することができる。
【００２４】
好ましくは、携帯通信端末は、着脱可能なデータ記録媒体を装着するための記録媒体装着手段と、データ記録媒体に画像ファイルを格納するための記録手段とをさらに含む。
【００２５】
上記の構成を有する携帯通信端末によると、画像ファイルがデータ記録媒体に格納できるため、携帯通信端末の利用者は、通信回線を介することなく、そのファイルを他の利用者との間で共有することができる。
【００２６】
好ましくは、携帯通信端末は、通信回線を介して複数の通信装置にデータを送信するための送信手段をさらに含む。記憶手段はさらに、各通信装置の各々の表示手段が有する表示領域の広さを表わす情報を、各通信装置に対応付けて記憶する。画像ファイル生成手段は、通信装置の表示領域の情報に基づいて、ドキュメント情報から画像ファイルを生成する。
【００２７】
上記の構成を有する携帯通信端末によると、画像ファイルは、送信先の通信装置（たとえば携帯電話等）の表示手段の表示領域の広さに応じて生成される。したがって、そのファイルの受信者は、画像ファイルを受信した状態で、通信装置に画像を表示させることができる。また、送信先の通信装置において画像ファイルを表示するための変換処理その他の処理が不要になるため、効率よく画像を表示することができる。
【００２８】
好ましくは、画像ファイル生成手段は、通信装置の表示領域が携帯通信端末の表示領域よりも小さい場合には、通信装置の表示領域に応じたデータ量を有する画像ファイルを生成する。
【００２９】
上記の構成を有する携帯通信端末によると、送信先の通信装置に応じたデータ量を有する画像ファイルが生成されるため、その通信装置は、確実に携帯通信端末の画面に表示された画像を表示することができる。
【００３０】
好ましくは、携帯通信端末は、携帯電話である。画像ファイル生成手段は、携帯電話の画像ファイルに関して予め定められたファイル形式により、ドキュメント情報から画像ファイルを生成する。
【００３１】
上記の構成によると、携帯電話は、予め定められたファイル形式（たとえば、ＪＰＥＧ（Joint Photographic Experts Group）形式）により生成された画像ファイルを表示することができる。携帯電話は、ドキュメント情報に固有なアプリケーションに依存することなく、その内容を表示することができる。
【００３２】
この発明の他の局面に従うと、携帯通信端末における画像ファイルの生成方法は、外部からの入力を受け付けるステップと、携帯通信端末の記憶手段からドキュメント情報を読み出して、予め準備するステップと、ドキュメント情報の表示指示の入力に基づいて、ドキュメント情報の内容を表示するための表示データを生成するステップと、表示データに基づいて、ドキュメント情報の内容を表わす画面を表示するステップと、画面を画像として保存する指示の入力に応答して、予め定められたファイル形式であってドキュメント情報のファイル形式と異なる形式により、ドキュメント情報から、画像を表示するための画像ファイルを生成するステップとを含む。
【００３３】
上記の構成を有する画像ファイルの生成方法によると、たとえば利用者が画面の保存指示を入力すると、携帯通信端末に表示されている画面の画像ファイルが、予め定められた形式に基づいて生成される。すなわち、異なる形式のドキュメント情報が記憶されていても、この画像ファイルは、共通のファイル形式により作成される。そのため、ドキュメント情報を直接表示することができない他の端末（たとえば、携帯電話、情報通信端末）も、そのドキュメント情報の内容を画像として表示することができる。これにより、データの受信側の携帯通信端末においてドキュメントの表示を可能にすることができる携帯通信端末における画像ファイルの生成方法を提供することができる。
【００３４】
この発明のさらに他の局面に従うと、プログラムは、画像の表示機能を有する携帯通信端末に、画像ファイルを生成する方法を実現させる。このプログラムは携帯通信端末に、外部からの入力を受け付けるステップと、携帯通信端末の記憶手段からドキュメント情報を読み出して、予め準備するステップと、ドキュメント情報の表示指示の入力に基づいて、ドキュメント情報の内容を表示するための表示データを生成するステップと、表示データに基づいて、ドキュメント情報の内容を表わす画面を表示するステップと、画面を画像として保存する指示の入力に応答して、予め定められたファイル形式であってドキュメント情報のファイル形式と異なる形式により、ドキュメント情報から、画像を表示するための画像ファイルを生成するステップとを実行させる。
【００３５】
上記のプログラムが携帯通信端末において実行されると、携帯通信端末は、たとえば利用者による画面の保存指示の入力に応じて、表示手段に表示されている画面の画像ファイルを生成する。この画像ファイルは、予め定められたファイル形式（たとえばラスタ形式）により作成される。したがって、異なる形式のドキュメント情報が記憶されていても、生成された画像ファイルは、共通のファイル形式を有する。そのため、ドキュメント情報を直接表示することができない他の端末（たとえば、携帯電話、情報通信端末）も、その画像ファイルに基づいてドキュメント情報の内容を表示することができる。これにより、データの受信側の携帯通信端末においてドキュメントの内容が表示可能な画像ファイルの生成機能を携帯通信端末に実現させるためのプログラムを提供することができる。
【発明の効果】
【００３６】
本発明に係る携帯通信端末によると、利用者が表示されているドキュメントの保存指示を入力すると、そのドキュメントを表示するためのデータから画像ファイルが生成される。この画像ファイルは、特定のアプリケーションに依存しない形式で生成されるため、その画像ファイルが入力される携帯通信端末は、その画像ファイルに基づいて、ドキュメントを表示することができる。
【００３７】
本発明に係る携帯通信端末によると、利用者が画像ファイルへの変換を指示したドキュメントを他の携帯通信端末の利用者との間で共有することができる。
【００３８】
本発明に係る携帯通信端末によると、ドキュメントが表示されている場合に利用者が画像ファイルへの変換を指示すると、メールの作成画面が表示され、その画像ファイルが添付されるため、メールを効率よく編集することができる。
【００３９】
本発明に係る携帯通信端末によると、受信側の端末の表示手段における画像表示領域の広さに応じて、ドキュメントの画像ファイルが生成される。たとえば画像表示領域に表示されない画像あるいはその領域よりも小さな画像が生成されない。そのため、受信側の端末は、そのドキュメントを適切に表示することができる。
【００４０】
本発明に係る画像ファイルの生成方法によると、携帯通信端末は、利用者が表示されているドキュメントの保存指示を入力すると、そのドキュメントを表示するためのデータから画像ファイルを生成することができる。
【００４１】
本発明に係るプログラムによると、携帯通信端末は、利用者が表示されているドキュメントの保存指示の入力に応じて、そのドキュメントを表示するためのデータから画像ファイルを生成する機能を実現することができる。
【発明を実施するための最良の形態】
【００４２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４３】
図１を参照して、本発明に係る携帯通信端末の一態様である携帯電話１００について説明する。図１は、携帯電話１００の外観を表わす図である。なお、本発明は、小型のディスプレイの表示領域を有するＰＤＡその他の携帯通信端末にも適用することができる。
【００４４】
携帯電話１００は、筐体１２０と、筐体１２０に配置されたディスプレイ１５０と、利用者が操作するための操作部１３０とを含む。操作部１３０は、ディスプレイ１５０に表示されるカーソルを移動するための移動キー１３２と、数字ボタンと、「＊」と、「♯」とを有する１２キー１３４とを含む。
【００４５】
図２を参照して、携帯電話１００の構成についてさらに説明する。図２は、携帯電話１００の構成を表わす機能ブロック図である。携帯電話１００は、アンテナ２００と、外部からの情報の入力を受け付けるための入力部２１０と、アンテナ２００と入力部２１０とに接続され、入力される情報に基づいて携帯電話１００の動作を制御するための制御部２３０と、制御部２３０に接続され、制御部２３０により生成される情報あるいは予め作成された情報を記憶するための記憶部２５０と、制御部２３０と記憶部２５０とに接続され、制御部２３０あるいは記憶部２５０からの信号に基づいて、情報の出力動作を実行するための出力部２２０とを含む。
【００４６】
入力部２１０は、図１に示した操作部１３０とマイク１３６とを含む。出力部２２０は、ディスプレイ１５０とスピーカ１５２とを含む。制御部２３０は、アンテナ２００を介した情報通信を制御するための通信制御部２３２と、マイク１３６と通信制御部２３２とに接続され、各部からの信号に基づいて音声の出力処理を実行するための音声処理部２３４と、通信制御部２３２と表示処理部２３８とファイル記憶部２５８とに接続され、メールの編集、送受信、表示その他の処理を実行するためのメール処理部２３６と、操作部１３０とＪＰＥＧファイル作成部２４８とＶＲＡＭ２５２とＲＡＭ２５４とに接続され、毒面と情報の表示指示の入力に基づいてドキュメント情報の内容を表示するための表示データを生成する表示処理部２３８と、ドキュメント編集部２４０と、スクロール処理部２４２と、拡大縮小処理部２４４と、レイアウト解析部２４６と、画面を画像として保存する指示の入力に応答して、ドキュメント情報から画像を表示するためのＪＰＥＧファイル作成部２４８とを含む。記憶部２５０は、ＶＲＡＭ（Video Random Access Memory）２５２と、ＲＡＭ２５４と、ドキュメント情報を記憶するためのドキュメント記憶部２５６と、ファイル記憶部２５８と、プログラム記憶部２６０とを含む。
【００４７】
アンテナ２００が受信した信号および入力部２１０から出力される信号は、制御部２３０に入力される。制御部２３０は、記憶部２５０に予め格納されているプログラムおよびデータに基づいて、後述する各処理を実行する。このデータには、文書データ、図形その他のドキュメント情報が含まれる。制御部２３０は、その処理の実行により生成されたデータを出力部２２０に出力する。
【００４８】
これらの信号の流れをさらに詳細に説明する。アンテナ２００が受信した信号は、通信制御部２３２に入力される。通信制御部２３２は、音声処理部２３４との間でデータを通信する。音声処理部２３４には、マイク１３６からの信号も入力される。音声処理部２３４は、処理した信号をスピーカ１５２に出力する。
【００４９】
通信制御部２３２は、さらにメール処理部２３６との間でメールのデータを通信する。すなわち、メール処理部２３６に入力された信号は、予め定められたメール処理（たとえば送信相手、送信日時その他の情報の取得および格納）が行なわれ、受信メールに含まれているデータは、ファイル記憶部２５８に格納される。一方、ユーザが作成したメールのデータは、ドキュメント記憶部２５６からメール処理部２３６に読み出される。通信制御部２３２は、送信指示の入力に応答して、アンテナ２００を介してメールを送信する。
【００５０】
利用者が操作部１３０を操作して表示指示を入力すると、その入力に応じた信号は表示処理部２３８に入力される。表示処理部２３８は、その信号の入力に応答して、ＲＡＭ２５４あるいはファイル記憶部２５８に格納されているデータに基づいて、予め定められた処理を実行し、画面を表示するためのデータを生成する。この処理により生成されたデータは、ＶＲＡＭ２５２の所定のデータ領域に書込まれる。ＶＲＡＭ２５２に書込まれたデータはその後読み出され、ディスプレイ１５０によって表示される。
【００５１】
利用者が操作部１３０を操作してドキュメントの編集指示を入力すると、その指示は、ドキュメント編集部２４０に入力される。ドキュメント編集部２４０は、その信号の入力に応答して、ドキュメント記憶部２５６に格納されているドキュメント情報（たとえば文書データ、図形データその他のデータ）を読み出して、ＲＡＭ２４に格納する。このデータは、その後の利用者の文字そのたの編集指示の入力によって、変更されたり、あるいは表示位置の変更指示の入力に応じて、ディスプレイ１５０に現在表示されていない他のページを表示するためのデータに置き換えられる。
【００５２】
操作部１３０から出力される信号は、スクロール処理部２４２に入力される。この信号は、たとえばカーソル移動キー１３２を介して入力された画面のスクロール指示信号である。スクロール処理部２４２は、そのような信号の入力に応答してＲＡＭ２５４の所定のデータ領域に格納されている表示用データの読出位置を変更する。この位置データは、表示処理部２３８によって参照される。これにより、ユーザがスクロールの指示を入力した場合には、ディスプレイ１５０における画面の表示は、その指示の入力に応答して切り替えられる。
【００５３】
ユーザが操作部１３０を介して表示画面の拡大あるいは縮小の指示を入力すると、その指示に対応する信号は、操作部１３０から出力され、拡大縮小処理部２４４に入力される。拡大縮小処理部２４４は、その信号の入力に応答して、ＲＡＭ２５４の所定のデータ領域に格納されている画面データを拡大したり、あるいは縮小する。たとえば、現在表示用データが格納されているデータ領域と異なる領域に拡大後あるいは縮小後のデータが一旦格納され、その後、表示用データが格納される領域に書き込まれる。このようにして拡大処理あるいは縮小処理が実行されたデータが表示処理部２３８に入力されると、表示用データがＶＲＡＭ２５２に書込まれる。ディスプレイ１５０は、利用者の指示に応じて画面を拡大して表示したりあるいは縮小して表示する。
【００５４】
レイアウト解析部２４６は、操作部１３０、ドキュメント編集部２４０等からの信号の入力に応答して、ドキュメント情報のレイアウトを解析してレイアウト情報を出力する。このレイアウト情報には、たとえば、表示の対象となるドキュメント情報の先頭部および最後尾の部分、ドキュメントの内容の表示を制御するデータ、その他ドキュメントを画面に表示する場合に表示の態様を制御するためのデータ等が含まれる。
【００５５】
利用者が操作部１３０を介して画面の切出指示を入力すると、その指示に対応する信号は、操作部１３０からＪＰＥＧファイル作成部２４８に入力される。ここで、切出指示とは、画面を画像として保存する指示をいう。ＪＰＥＧファイル作成部２４８は、その信号の入力に応答してＲＡＭ２５４の所定のデータ領域に格納されている表示用データを所定の画像形式のデータに変換する。変換されたデータは、ファイル記憶部２５８に格納される。
【００５６】
なお、本実施の形態に係る携帯電話１００は、画像ファイルを生成するための手段として、ＪＰＥＧファイル作成部２４８を備えているが、その他の手段を備えていても良い。たとえば、ＧＩＦ（Graphics Interchange Format）形式その他のラスタ形式に変換する機能を有するものであってもよい。
【００５７】
図２を再び参照して、ドキュメント記憶部２５６とファイル記憶部２５８とプログラム記憶部２６０とは、たとえばフラッシュメモリであるがその他のデータの読出および書込が可能なメモリであってもよい。また各記憶部は、上述したように３つの記憶部に分かれていなくてもよい。たとえば１つのフラッシュメモリにおいて、ドキュメント情報、ファイルデータ、プログラムデータが、それぞれのデータに応じた領域に格納される構成であってもよい。
【００５８】
上記したように、本発明に係る携帯通信端末を実現する携帯電話１００の機能は、携帯電話１００を構成する各ハードウェアと、制御部２３０により実行されるソフトウェアとにより実現される。一般にこのようなソフトウェアは、記憶部２５０に予め格納されていたり、通信回線を介してアンテナ２００によって受信されたりする。あるいは、着脱可能な記録媒体（図示しない）を装着可能な携帯通信端末の場合には、その記録媒体からソフトウェアが読み出され、記憶部２５０に格納される場合もある。そのソフトウェアは、制御部２３０によって記憶部２５０から読み出され、実行される。図１および図２に示したように、携帯通信端末の一態様である携帯電話１００のハードウェア自体は一般的なものである。したがって、本発明の最も本質的な部分は、記憶部２５０その他のデータ記録媒体に記録されたソフトウェアであるとも言える。なお、アンテナ２００と、入力部２１０と、出力部２２０と、制御部２３０と、記憶部２５０とを含む携帯通信端末自体の動作は周知であるので、ここではその詳細な説明は繰り返さない。
【００５９】
図３を参照して、携帯電話１００におけるデータ構造について説明する。図３は、携帯電話１００のプログラム記憶部２６０におけるデータの格納の一態様を概念的に表わす図である。
【００６０】
図３に示すように、携帯電話１００の制御プログラムは、データ領域Ｄ３００に格納される。制御プログラムは、携帯電話１００の基本的な動作（たとえば電源のＯＮ／ＯＦＦ等）を制御する。携帯電話の通信制御プログラムは、データ領域Ｄ３１０に格納される。通信制御プログラムは、電話の発着信あるいはメールの送受信を制御する。テキストエディタは、データ領域Ｄ３２０に格納される。テキストエディタは、単にテキストを編集するものであっても良いし、文字の装飾あるいは図形の編集その他の文書作成機能を有するものであってもよい。メールエディタは、データ領域Ｄ３３０に格納される。メールエディタは、利用者が電子メールを作成したり、送受信、表示その他の処理を実行するためのものである。ビューアプログラムは、データ領域Ｄ３４０に格納される。このプログラムは、ドキュメント情報をそのまま表示するためのプログラムである。ＪＰＥＧエンコードプログラムは、データ領域Ｄ３５０に格納される。このプログラムは、ディスプレイ１５０に表示される画面を画像ファイルに変換するためのプログラムである。
【００６１】
このようにしてプログラム記憶部２６０の各領域に格納されているソフトウェアは、制御部２３０を構成する各処理部が所定の処理を実行する前に予め読み出されて、ＲＡＭ２５４の所定の領域に格納される。各処理部は、ＲＡＭ２５４からそれぞれのプログラムを読み出して所定の処理を実行する。なお、プログラム記憶部２６０におけるデータの格納の態様は、図３に示したものに限られず、その他の態様で格納されていてもよい。
【００６２】
図４を参照して、携帯電話１００におけるデータ構造についてさらに説明する。図４は、携帯電話１００のドキュメント記憶部２５６におけるドキュメント情報の格納の一態様を概念的に表わす図である。ここで、ドキュメント情報とは、文書データ、図形データ、画像ファイル等を含む。
【００６３】
図４に示すように、予め生成されたデータ「document001.FILE」は、データ領域Ｄ４００に格納される。その他のドキュメント情報もそれぞれ同様にデータ領域Ｄ４１０およびＤ４２０に格納される。このファイルは、たとえばワードプロセッサ機能により作成された文書データ、あるいはテキストデータ、その他のアプリケーションプログラムによって作成されたデータである。あるいは、携帯電話１００において作成されたデータ以外にも、外部から入力されたデータがドキュメント記憶部２５６に格納されてもよい。なお、ドキュメント情報の格納の態様は、図４に示した態様に限られずその他の態様であってもよい。
【００６４】
このようにしてドキュメント記憶部２５６に格納されているデータは、ドキュメント編集部２４０により読み出され、表示可能なデータに変換されてＲＡＭ２５４の所定の領域に書込まれる。表示処理部２３８がその領域に書込まれた表示用データを読み出してＶＲＡＭ２５２の所定の領域に書込むと、ディスプレイ１５０はそのドキュメント情報を表示領域に表示することができる。
【００６５】
図５を参照して、携帯電話１００におけるデータ構造についてさらに説明する。図５（Ａ）および（Ｂ）は、携帯電話１００のＲＡＭ２５４におけるデータの格納の一態様を表わす図である。
【００６６】
利用者がディスプレイ１５０において表示対象のドキュメントを選択すると、選択されたドキュメントのデータは、ドキュメント記憶部２５６から読み出されてＲＡＭ２５４に格納される。図５（Ａ）に示すように、たとえば「document001.FILE」が選択されると、そのデータはデータ領域Ｄ５００に一時的に記憶される。表示処理部２３８は「document001.FILE」のデータを読み出し、ディスプレイ１５０における表示可能な態様に変換し、そしてＶＲＡＭ２５２の所定のデータ領域に「document001.dat」として出力する。
【００６７】
利用者が操作部１３０を介してディスプレイ１５０に表示されている画面の切出指示を入力すると、その指示はＪＰＥＧファイル作成部２４８に入力される。ＪＰＥＧファイル作成部２４８は、データ領域Ｄ５００に格納されているデータを読み出し、予め定められたＪＰＥＧ符号化処理を実行し、その実行結果を「document001.JPG」としてデータ領域Ｄ５１０に書込む（図５（Ｂ））。その後、利用者が操作部１３０を介して画像ファイルの保存指示を入力すると、データ領域Ｄ５１０に一時的に記憶されているデータは、ファイル記憶部２５８に書込まれる。
【００６８】
図６を参照して、携帯電話１００におけるデータ構造についてさらに説明する。図６は、携帯電話１００のファイル記憶部２５８における画像ファイルの格納の一態様を表わす図である。
【００６９】
上記したように、ＪＰＥＧファイル作成部２４８によって作成された画像ファイルは、保存の指示があるまではＲＡＭ２５４の所定の領域に一時的に格納されている。その後画像ファイルの保存の指示が入力されると、指示されたデータはファイル記憶部２５８の各データ領域に順次格納される。たとえば、図６に示すように「document001.JPG」は、データ領域Ｄ６００に格納される。その他の画像ファイルも同様に各データ領域Ｄ６１０，Ｄ６２０に順次格納される。ファイル記憶部２５８は、たとえばフラッシュメモリであるため、携帯電話１００の電源がオフになっても画像ファイルは保持される。したがって、携帯電話１００がたとえば着脱可能なデータ記録媒体を装着するための記録媒体装着部を有する場合には、ファイル記憶部２５８に格納されている画像ファイルを外部の記録媒体（たとえばメモリカード）に保存することができる。
【００７０】
図７を参照して、携帯電話１００におけるデータ構造についてさらに説明する。図７は、ファイル記憶部２５８における通信相手の登録情報の格納の一態様を表わす図である。
【００７１】
図７に示すように、メール番号はデータ領域Ｄ６５０に格納される。メール番号は、送信メールを識別するためのデータである。この番号は、たとえば送信メールの作成に応じて順次付与される。送信先アドレスは、データ領域Ｄ６６０に格納される。作成されたメールの題名は、データ領域Ｄ６７０に格納される。メールの本文の内容は、データ領域Ｄ６８０に格納される。添付データを識別する情報は、データ領域Ｄ６９０に格納される。この情報は、たとえばメールに添付されるファイル名あるいはそのファイルが格納されているデータ領域を識別するデータである。
【００７２】
ユーザが操作部１３０を介してメールの作成処理を実行すると、信号は操作部１３０から表示処理部２３８を経てメール処理部２３６に入力される。メール処理部２３６は、上記した各データ領域に格納されている登録情報を読み出して所定の位置に配置してメールの作成画面を表示するためのデータを生成する。このようにして生成されたデータがＲＡＭ２５４からＶＲＡＭ２５２に書込まれると、ディスプレイ１５０はメールの作成画面を表示することができる。
【００７３】
図８を参照して、本実施の形態に係る携帯電話１００の制御構造について説明する。図８は、携帯電話１００の制御部２３０が実行する処理の手順を表わすフローチャートである。以下の処理は、携帯電話１００が入力された指示に基づいてドキュメントをディスプレイ１５０に表示しているときに、画像ファイルの切出処理の指示が入力されると実行される。なお、図２に示したように、本実施の形態に係る携帯電話１００は、制御部２３０に含まれる各処理部の動作によって実現されるが、ここでは、制御部２３０の動作として説明する。
【００７４】
ステップＳ８０２にて、制御部２３０は、操作部１３０からの入力を待機する。ステップＳ８０４にて、制御部２３０は、操作部１３０からの信号の入力を検知する。
【００７５】
ステップＳ８０６にて、制御部２３０は、入力された信号に基づいてドキュメント記憶部２５６に格納されているドキュメントのいずれかが指定されたか否かを判断する。この判断は、たとえば入力信号に含まれるデータとドキュメント記憶部２５６に格納されている各ドキュメントに対応付けられているデータとが一致するか否かに基づいて行なわれる。ドキュメントが指定されたと判断すると（ステップＳ８０６にてＹＥＳ）、処理はステップＳ８０８に移される。そうでない場合には（ステップＳ８０６にてＮＯ）、処理はステップＳ８０２に戻される。
【００７６】
ステップＳ８０８にて、制御部２３０は、入力されたドキュメントのデータをドキュメント記憶部２５６から読み出してそのレイアウトを解析する。制御部２３０は、読み出したデータに基づいて表示のためのデータをさらに生成する。表示データが生成されると表示処理部２３８は、ＶＲＡＭ２５２の所定の領域にそのデータを書き込む。
【００７７】
ステップＳ８１０にて、制御部２３０は、操作部１３０からの信号の入力を待機する。ステップＳ８１２にて、制御部２３０は、操作部１３０から指示の入力を検知する。
【００７８】
ステップＳ８１４にて、制御部２３０は、入力された指示が拡大縮小の指示であるか否かを判断する。その指示が拡大縮小の指示である場合には（ステップＳ８１４にてＹＥＳ）、処理はステップＳ８１６に移される。そうでない場合には（ステップＳ８１４にてＮＯ）、処理はステップＳ８１８に移される。
【００７９】
ステップＳ８１６にて、制御部２３０は、入力された信号に応じて拡大処理あるいは縮小処理を実行する。
【００８０】
ステップＳ８１８にて、制御部２３０は、入力された指示が切出処理の指示であるか否かを判断する。その指示が切出処理の指示である場合には（ステップＳ８１８にてＹＥＳ）、処理はステップＳ９００に移される。そうでない場合には（ステップＳ８１８にてＮＯ）、処理はステップＳ８２０に移される。
【００８１】
ステップＳ８２０にて、制御部２３０は、入力された指示がメール編集の指示であるか否かを判断する。その指示がメール編集の指示である場合には（ステップＳ８２０にてＹＥＳ）、処理はステップＳ９００に移される。そうでない場合には（ステップＳ８２０にてＮＯ）、処理はステップＳ８２６に移される。
【００８２】
ステップＳ９００にて、制御部２３０は、後述する切出処理を実行する。この処理が実行されると、ディスプレイ１５０に表示されている画面を画像として表示するための画像ファイルが生成される。
【００８３】
ステップＳ８２２にて、制御部２３０は、メール編集処理を実行する。この処理が実行されると、メールの編集画面が表示される。利用者は、操作部１３０を介して文字を入力して、送信メールを作成することができる。また、このとき、ステップＳ９００にて生成された画像ファイルが添付される。この場合、制御部２３０は、さらに添付されたメールを送信可能であってもよい。たとえばデータ領域Ｄ６６０（図７）に格納されている送信先アドレスの入力画面が表示され、利用者がアドレスを選択するようにしてもよい。あるいは、画像ファイルの添付を取り消す処理が可能であってもよい。また、画像ファイルが添付されたメールが送信されない場合には、そのメールが、予め定められたデータ領域に格納されてもよい。
【００８４】
ステップＳ８２４にて、制御部２３０は、操作部１３０からの入力に応答してメールの送信処理を実行する。この処理が実行されると、画像ファイルが添付された電子メールがアンテナ２００を介して送信される。なお、メールの送信が必ずしも実行されなくてもよい。たとえば、メールの送信処理に代えて、メールの保存処理が実行され、利用者がメールを任意に送信するようにしてもよい。
【００８５】
ステップＳ８２６にて、制御部２３０は、入力された指示が処理の終了の指示であるか否かを判断する。その指示が終了の指示である場合には（ステップＳ８２６にてＹＥＳ）、処理は終了する。そうでない場合には（ステップＳ８２６にてＮＯ）、処理はステップＳ８２８に移される。
【００８６】
ステップＳ８２８にて、制御部２３０は、その入力指示に応じてその他の処理を実行する。この処理には、たとえばドキュメントの編集処理等が含まれる。
【００８７】
図９を参照して、携帯電話１００の制御構造についてさらに説明する。図９は、制御部２３０が実行する画面の切出処理の手順を表わすフローチャートである。
【００８８】
ステップＳ９０２にて、制御部２３０は、ＲＡＭ２５４からディスプレイ１５０に表示されている表示データを読み出す。ステップＳ９０４にて、制御部２３０は、読み出した表示データをエンコード処理して画像ファイルを作成する。このエンコード処理は、たとえばＪＰＥＧ形式に基づく処理である。ステップＳ９０６にて、制御部２３０は、作成した画像ファイルをファイル記憶部２５８に格納する。
【００８９】
以上のような構造およびフローチャートに基づく本実施の形態に係る携帯電話１００の動作について説明する。
【００９０】
利用者が携帯電話１００の操作部１３０を操作してドキュメントの選択画面をディスプレイ１５０に表示させる。利用者がその表示の中から特定のドキュメントを指定すると（ステップＳ８０６にてＹＥＳ）、指定されたドキュメントがディスプレイ１５０に表示される（ステップＳ８０８）。
【００９１】
利用者がカーソル移動キー１３２を操作して表示されているドキュメントの拡大を指示すると（ステップＳ８１４にてＹＥＳ）、画面はそのカーソル移動キー１３２に対する入力に応じて拡大あるいは縮小処理（ステップＳ８１６）が行なわれた画面に切り換わる。
【００９２】
その後、利用者がメールの編集の指示を入力すると（ステップＳ８２０にてＹＥＳ）、ディスプレイ１５０に表示中の画面のデータから画像ファイルが生成される（ステップＳ９００）。さらに、メールの作成画面が表示され（ステップＳ８２２）、利用者がメールの題名および本文を入力し送信の指示を入力すると、画像ファイルが添付されたメールが入力された送信先に送信される（ステップＳ８２４）。
【００９３】
以上のようにして、本実施の形態に係る携帯電話１００によると、利用者の指示に基づいて、ディスプレイ１５０に表示されている画面を画像として表示するための画像ファイルが生成される。この画像ファイルは、特定のアプリケーションに依存しないデータ形式で作成されている。そのため、この画像ファイルが送信先の携帯通信端末に受信されると、その携帯通信端末のディスプレイは、その画像ファイルに基づいてドキュメントの画面を表示することができる。このようにして、送信側が閲覧しているデータと同じ内容が受信側の携帯通信端末において表示されるため、その画像ファイルに基づく画像を共有してそれぞれが認識することができる。これにより、受信側の携帯通信端末においてデータが表示可能なデータを生成することができる携帯通信端末を提供することができる。また、ドキュメントから生成された画像ファイルは、着脱可能なデータ記録媒体に格納することもできるため、データ通信を行なうことなく画像ファイルを共有することもできる。
【００９４】
なお、本実施の形態に係る携帯電話１００に、送信先の通信端末が有する表示手段の画像表示領域の広さを表わす情報を少なくとも一種類だけ予め記憶しておいても良い。たとえば送信先のアドレスに、送信先の端末情報とその領域の広さを表わす情報とを対応付けて記憶しておいても良い。このようにすると、送信先の画像表示領域の広さに応じて画像ファイルを生成することができるため、受信側の端末は、ドキュメントを適切に表示することができる。なお、画像表示領域の広さを表わす情報を複数種類だけ備えることにより、相手先の通信端末のスペックを意識せずに対応することがより可能になるため、ユーザフレンドリーなシステムを構成することができる。
【００９５】
あるいは、携帯電話１００が他の通信端末から画像ファイルが添付されたメールを受信し、その画像ファイルに基づいて、その通信端末の画像表示領域の広さを表わす情報を取得してもよい。この場合、携帯電話１００がその情報を取得すると、その情報は、通信端末の他の情報（たとえば送信者名、アドレス等）に対応付けられてファイル記憶部２５８その他のメモリに格納される。このようにすると、携帯電話１００の利用者は、自らがデータを入力することなく、送信先の通信端末の画像表示領域に応じた画像ファイルをメールに添付して送信することができる。
【００９６】
さらにまた、携帯電話１００は、操作部１３０からの入力に応じてディスプレイ１５０において選択された範囲を検出し、その範囲に表示されている画面を画像ファイルとして生成してもよい。たとえば、その範囲に対応する位置データに応じてドキュメント情報から画像ファイルを生成しても良い。このようにすると、利用者は、任意の範囲を画像ファイルに取り込むことができるため、不要な表示を除去しつつ、通信相手と情報を共有することができる。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９８】
本発明は、画像を表示する機能を有する携帯通信端末に適用可能である。
【図面の簡単な説明】
【００９９】
【図１】本発明の実施の形態に係る携帯電話の外観を表わす図である。
【図２】図１に示した携帯電話の構成を表わす機能ブロック図である。
【図３】図１に示した携帯電話におけるデータの格納の一態様を概念的に表わす図（その１）である。
【図４】図１に示した携帯電話におけるデータの格納の一態様を概念的に表わす図（その２）である。
【図５】図１に示した携帯電話におけるデータの格納の一態様を概念的に表わす図（その３）である。
【図６】図１に示した携帯電話におけるデータの格納の一態様を概念的に表わす図（その４）である。
【図７】図１に示した携帯電話におけるデータの格納の一態様を概念的に表わす図（その５）である。
【図８】図１に示した携帯電話が実行する処理の手順を表わすフローチャート（その１）である。
【図９】図１に示した携帯電話が実行する処理の手順を表わすフローチャート（その２）である。
【符号の説明】
【０１００】
１００  携帯電話、１２０  筐体、１３０  操作部、１３２  カーソル移動キー、１３４  数字ボタン、１３６  マイク、１５０  ディスプレイ、１５２  スピーカ、２００  アンテナ、２１０  入力部、２２０  出力部、２３０  制御部、２３２  通信制御部、２３４  音声処理部、２３６  メール処理部、２３８  表示処理部、２４０  ドキュメント編集部、２４２  スクロール処理部、２４４  拡大縮小処理部、２４６  レイアウト解析部、２４８  ＪＰＥＧファイル作成部、２５０  記憶部、２５２  ＶＲＡＭ、２５４  ＲＡＭ、２５６  ドキュメント記憶部、２５８  ファイル記憶部、２６０  プログラム記憶部。
【図１】
2005267451.tif 000003
【図２】
2005267451.tif 000004
【図３】
2005267451.tif 000005
【図４】
2005267451.tif 000006
【図５】
2005267451.tif 000007
【図６】
2005267451.tif 000008
【図７】
2005267451.tif 000009
【図８】
2005267451.tif 000010
【図９】
2005267451.tif 000011